【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
音響波をスピーチのフレームを表す電気マイクロフォン信号に変換する空気伝導マイクロフォンと、
前記空気伝導マイクロフォン以外の少なくとも一つの代替センサであって、ユーザと、少なくとも一つの代替センサに結合された、スピーカの両側に備わる少なくとも２つの接触点のうちの少なくとも一つと、の間の接触点に基づいて、スピーチの前記フレームを示す、電気代替センサ信号を提供する代替センサと、
前記マイクロフォン信号および前記代替センサ信号を使用して、スピーチの前記フレームに対するクリーン・スピーチ値を推定するプロセッサと
を備えることを特徴とするモバイル・ハンドヘルド・デバイス。
【請求項２】
前記少なくとも一つの代替センサは、骨伝導センサを備えることを特徴とする請求項１に記載のモバイル・ハンドヘルド・デバイス。
【請求項３】
前記少なくとも一つの代替センサは、第２の代替センサ信号を提供する第２の代替センサをさらに備えることを特徴とする請求項１に記載のモバイル・ハンドヘルド・デバイス。
【請求項４】
前記代替センサおよび前記第２の代替センサは、骨伝導センサを備えることを特徴とする請求項３に記載のモバイル・ハンドヘルド・デバイス。
【請求項５】
前記モバイル・ハンドヘルド・デバイスは、左側と、前記左側の反対に位置する右側とを有し、前記代替センサは、前記左側の近くに配置され、前記第２の代替センサは、前記右側の近くに配置されることを特徴とする請求項４に記載のモバイル・ハンドヘルド・デバイス。
【請求項６】
前記代替センサ信号と前記第２の代替センサ信号のうちの一方を選択する選択ユニットをさらに備えることを特徴とする請求項３に記載のモバイル・ハンドヘルド・デバイス。
【請求項７】
前記選択ユニットは、前記代替センサ信号および前記第２の代替センサ信号の大きさに基づいて前記代替センサ信号および前記第２の代替センサ信号のうちの一方を選択することを特徴とする請求項６に記載のモバイル・ハンドヘルド・デバイス。
【請求項８】
前記スピーカは、前記クリーン・スピーチ値におけるノイズ量に基づいてサウンドを生成することを特徴とする請求項１に記載のモバイル・ハンドヘルド・デバイス。
【請求項９】
前記モバイル・ハンドヘルド・デバイスと対象物の間の距離を示す近接信号を生成する近接センサをさらに備えることを特徴とする請求項１に記載のモバイル・ハンドヘルド・デバイス。
【請求項１０】
前記プロセッサは、前記マイクロフォン信号、前記代替センサ信号、および前記近接信号に基づいて前記クリーン・スピーチ値を決定することを特徴とする請求項９に記載のモバイル・ハンドヘルド・デバイス。
【請求項１１】
前記プロセッサは、
前記マイクロフォン信号に基づいて前記クリーン・スピーチ値へのマイクロフォンの寄与を決定すること、
前記代替センサ信号に基づいて前記クリーン・スピーチ値への代替センサの寄与を決定すること、および
前記近接信号に基づいて前記マイクロフォンの寄与、および前記代替センサの寄与を重み付けすること
を備えるプロセスを介して前記クリーン・スピーチ値を決定することを特徴とする請求項１０に記載のモバイル・ハンドヘルド・デバイス。
【請求項１２】
前記スピーカは、前記近接信号に基づいてサウンドを生成することを特徴とする請求項９に記載のモバイル・ハンドヘルド・デバイス。
【請求項１３】
前記少なくとも一つの代替センサは、媒体で充てんされたパッドに流体力学的に結合される圧力トランスデューサを備えることを特徴とする請求項１に記載のモバイル・ハンドヘルド・デバイス。
【請求項１４】
前記モバイル・ハンドヘルド・デバイスは、左側と、前記左側の反対に位置する右側とを有し、前記パッドは、前記左側に第１の部分を、前記右側に第２の部分を有することを特徴とする請求項１３に記載のモバイル・ハンドヘルド・デバイス。
【請求項１５】
前記少なくとも一つの代替センサは、さらに近接信号を提供することを特徴とする請求項１３に記載のモバイル・ハンドヘルド・デバイス。
【請求項１６】
前記近接信号は、前記圧力トランスデューサによって生成される電気信号のＤＣ成分を備えることを特徴とする請求項１５に記載のモバイル・ハンドヘルド・デバイス。
【請求項１７】
前記代替センサ信号は、前記圧力トランスデューサによって生成される前記電気信号のＡＣ成分を備えることを特徴とする請求項１６に記載のモバイル・ハンドヘルド・デバイス。
【請求項１８】
音響波を電気マイクロフォン信号に変換する空気伝導マイクロフォンと、
スピーチを示す電気代替センサ信号を提供する代替センサと、
モバイル・デバイスから対象物までの距離を示す、前記マイクロフォン信号とは別の電気近接信号を提供する、前記空気伝導マイクロフォンとは別の近接センサと、
前記マイクロフォン信号、前記代替信号および前記近接信号を使用して前記マイクロフォン信号からノイズを除去し、これによって改良されたクリーンスピーチ信号を生成するクリーン信号推定器と
を備えることを特徴とするモバイル・デバイス。
【請求項１９】
前記改良されたクリーン・スピーチ信号中のノイズ・レベルの推定値に基づいてサウンドを生成するスピーカをさらに備えることを特徴とする請求項１８に記載のモバイル・デバイス。
【請求項２０】
前記モバイル・デバイスは、前記近接信号を使用して、前記代替センサ信号から形成される前記改良されたクリーン・スピーチ信号に対する寄与を重み付けすることによって前記改良されたクリーン・スピーチ信号を生成することを特徴とする請求項１８に記載のモバイル・デバイス。
【請求項２１】
前記寄与を重み付けすることは、前記モバイル・デバイスが前記対象物から離れていることを前記近接信号が示すときに、より少ない重みを前記寄与に与えることを備えることを特徴とする請求項２０に記載のモバイル・デバイス。
【請求項２２】
前記近接信号に基づいてサウンドを生成するスピーカをさらに備えることを特徴とする請求項１８に記載のモバイル・デバイス。
【請求項２３】
前記サウンドのボリュームは、前記モバイル・デバイスと前記対象物の間の距離が増大することを前記近接信号が示すときに増大することを特徴とする請求項２２に記載のモバイル・デバイス。
【請求項２４】
前記代替センサ信号および前記近接センサ信号は、単一センサによって生成されることを特徴とする請求項１８に記載のモバイル・デバイス。
【請求項２５】
前記単一センサは、前記近接信号を表すＤＣ成分と前記代替センサ信号を表すＡＣ成分とを有する電気信号を生成する圧力トランスデューサを備えることを特徴とする請求項２４に記載のモバイル・デバイス。
【請求項２６】
空気伝導マイクロフォン信号を受け取ること、
スピーチを示す代替センサ信号を受け取ること、
前記空気伝導マイクロフォン信号および前記代替センサ信号に基づいて改良されたクリーン・スピーチ値を推定すること、
前記改良されたクリーン・スピーチ値中のノイズを推定すること、および
ノイズの前記推定値を使用してモバイル・デバイス中のスピーカを介してサウンドを生成すること
を備えることを特徴とするモバイル・デバイスにおける方法。
【請求項２７】
前記サウンドのボリュームは、ノイズの前記推定値が増大するときに増大することを特徴とする請求項２６に記載の方法。
【請求項２８】
前記モバイル・デバイスと対象物の間の距離を表す近接センサ信号を受信すること、および
前記改良されたクリーン・スピーチ値を推定する際に前記近接センサ信号を使用すること
をさらに備えることを特徴とする請求項２６に記載の方法。
【請求項２９】
前記近接センサ信号を使用することは、前記近接センサ信号に基づいて前記代替センサ信号から導き出される、前記改良されたクリーン・スピーチ値に対する、寄与を重み付けすることを備えることを特徴とする請求項２８に記載の方法。
【請求項３０】
寄与を重み付けすることは、前記モバイル・デバイスが対象物に近接していることを前記近接センサ信号が示すときに、前記代替センサ信号から導き出される前記寄与に対して、より大きな重みを適用することを備えることを特徴とする請求項２９に記載の方法。
【請求項３１】
前記対象物は、ユーザの頭であることを特徴とする請求項３０に記載の方法。